(57)【特許請求の範囲】
【請求項１】
少なくとも一つの装着穴を裏面側に備えた樹脂製遊技盤本体と、前記装着穴の表面側開口を塞ぐ表面板と、該装着穴内に裏面側から装着される合板片と、該合板片の表面に植設された盤面部品、及び遊技釘と、該表面板に貫通形成されて前記盤面部品、及び前記遊技釘を表面側へ突出させる突出用穴と、該突出用穴から突出した該盤面部品、及び該遊技釘に沿って形成された遊技球通路と、を備えた樹脂製遊技盤ユニットであって、
前記遊技球通路内に前記突出用穴の内周縁が位置している場合に、該内周縁と前記盤面部品との間隔、及び該内周縁と前記遊技釘との間隔を、前記遊技球通路を通過する遊技球に前記内周縁が干渉しないように設定したことを特徴とする樹脂製遊技盤ユニット。
【請求項２】
前記遊技釘、及び前記盤面部品と前記遊技球とが夫々接触する接触位置と、前記内周縁との間隔を、前記遊技球の直径の１／２未満としたことを特徴とする請求項１に記載の樹脂製遊技盤ユニット。
【請求項３】
前記合板片の表面に、予め前記遊技釘、及び前記盤面部品が植設されていることを特徴とする請求項１又は２に記載の樹脂製遊技盤ユニット。
【請求項４】
前記合板片を前記装着穴内に装着した後で、前記突出用穴から露出する前記合板片の表面に、前記遊技釘、及び前記盤面部品を配置したことを特徴とする請求項１乃至３の何れか一項に記載の樹脂製遊技盤ユニット。
【請求項５】
請求項１乃至４の何れか一項に記載の樹脂製遊技盤ユニットを備えたことを特徴とするパチンコ遊技機。
【発明の詳細な説明】
【技術分野】
【０００１】
本発明は、従来木製合板によって構成されていた遊技盤をアクリル等の樹脂板によって構成する一方で、遊技釘を植設する部位のみを木製合板としたことによって遊技盤面上に形成される段差によって遊技球の流下軌跡が変動する不具合を解消するようにした樹脂製遊技盤ユニット、及びパチンコ遊技機に関する。
【背景技術】
【０００２】
環境保護等の社会的要請から、パチンコ遊技機の遊技盤として従来から使用されてきた木製の合板に代えてアクリル等の樹脂製遊技盤が徐々に使用され始めている。
樹脂製遊技盤は木製合板に比して耐久性が高く、任意の形状に成形し易く、透明にしたり、任意の色に着色し易い等の利点を有する反面、遊技釘を植設したり、ネジを螺着し難いという難点を有している。
その対策として、特許文献１には樹脂製遊技盤に設けた貫通孔内に木質材料から成る介在部材を嵌合し、この介在部材に遊技釘を打ち込む技術が開示されている。これによれば、樹脂材料を回避した位置に設けた木材部分に遊技釘を打ち込むため、従来の木製遊技盤面に対する釘打ち作業と同様の作業性を確保することができる、とされている。しかし、遊技盤面には２００本程度の多数の遊技釘が植設されているため、全ての遊技釘を打ち込むための貫通孔を遊技盤面に形成してから、各貫通孔内に介在部材を嵌合し、更にこの介在部材に対して釘打ちを行う作業は製造工数の増大と、生産性の低下と、それに伴うコストアップをもたらすことが明かである。また、貫通孔と介在部材との境界線に沿って形成される段差によって遊技球の流下軌跡に悪影響を与えるという遊技進行上の不具合もある。
【０００３】
次に、特許文献２には、木製の遊技盤に貫通形成した取付け穴内に、予め複数の遊技釘を植設した状態で成形した樹脂部材を嵌合させることによって遊技釘の植設手数を低減する技術が開示されている。
また、特許文献３には、遊技盤ベースに設けた取付け穴内に遊技釘を植設した植設基板を嵌合することによって、遊技釘の流下調整作業を容易化した技術が開示されている。
しかし、特許文献２、３のように遊技盤面に形成した穴内に遊技釘を植設した別部材を嵌合配置すると、遊技盤面と遊技釘植設部材との境界に沿って段差、或いは溝が形成され、この段差等が遊技釘の近傍を流下する遊技球の流路に悪影響を及ぼす虞があり、計算通りの流下経路調整がしにくくなる。
例えば、図５に示したように樹脂製遊技盤１００に形成した装着穴１０１内に合板製の遊技釘植設部材１０５を装着し、各遊技釘植設部材１０５上に植設された遊技釘１１０から成る釘列間に遊技球通路１１５を形成したり、釘列と盤面部品との間に遊技球通路１１５を形成した場合には、各遊技球通路１１５内に装着穴と遊技釘植設部材との境界線Ａが位置することとなる。樹脂製遊技盤及び遊技釘植設部材を製造する際の精度誤差によって、この境界線Ａを無段差状に形成することは難しく、遊技球通路１１５を通過する遊技球Ｂに対して境界線Ａに沿った段差が干渉して遊技球の流下経路に悪影響を与えることとなる。
【特許文献１】特開２００５−１３４９３公報
【特許文献２】特開２００２−１７７４９９公報
【特許文献３】特開２００６−２４７１０６公報
【発明の開示】
【発明が解決しようとする課題】
【０００４】
以上のようにアクリル等の樹脂製遊技盤にあっては、遊技釘を植設する部位のみを木製合板とする必要があるが、この場合には樹脂製遊技盤面に形成した装着穴と、この装着穴内に装着される木製合板片との境界線に沿って段差、溝が形成され、この段差等が遊技球の通過経路内に干渉する場合には遊技球の流下軌跡に悪影響を与えるという問題があった。
本発明は上記に鑑みてなされたものであり、樹脂製遊技盤面に形成した装着穴内に木製合板から成る遊技球植設部材を装着した場合に、装着穴周縁に形成される段差が遊技球の挙動に悪影響を与えることがないようにした樹脂製遊技盤ユニット、及びパチンコ遊技機を提供することを目的としている。
【課題を解決するための手段】
【０００５】
上記目的を達成するため、本発明に係る樹脂製遊技盤ユニットは、少なくとも一つの装着穴を裏面側に備えた樹脂製遊技盤本体と、前記装着穴の表面側開口を塞ぐ表面板と、該装着穴内に裏面側から装着される合板片と、該合板片の表面に植設された盤面部品、及び遊技釘と、該表面板に貫通形成されて前記盤面部品、及び前記遊技釘を表面側へ突出させる突出用穴と、該突出用穴から突出した該盤面部品、及び該遊技釘に沿って形成された遊技球通路と、を備えた樹脂製遊技盤ユニットであって、前記遊技球通路内に前記突出用穴の内周縁が位置している場合に、該内周縁と前記盤面部品との間隔、及び該内周縁と前記遊技釘との間隔を、前記遊技球通路を通過する遊技球に前記内周縁が干渉しないように設定したことを特徴とする。
突出用穴に露出した合板片面に配置された盤面部品、及び遊技釘に沿って遊技球通路が形成されている場合には、突出用穴の内周縁が遊技球通路内に位置することとなり、遊技球の流下経路に不要な変動をもたらす虞があるが、本発明では突出用穴の内周縁の位置を遊技球と干渉しない位置に設定するようにしたので、そのような不具合を解決できる。
本発明は、前記遊技釘、及び前記盤面部品と前記遊技球とが夫々接触する接触位置と、前記内周縁との間隔を、前記遊技球の直径の１／２未満としたことを特徴とする。
遊技球通路を通過する遊技球と突出用穴の内周縁との干渉を防止するためには、遊技釘（遊技球との接触位置）と突出用穴の内周縁との間隔を遊技球の直径の１／２未満とすることが有効である。
本発明は、前記合板片の表面に、予め前記遊技釘、及び前記盤面部品が植設されていることを特徴とする。
本発明は、前記合板片を前記装着穴内に装着した後で、前記突出用穴から露出する前記合板片の表面に、前記遊技釘、及び前記盤面部品を配置したことを特徴とする。
本発明に係るパチンコ遊技機は、上記樹脂製遊技盤ユニットを備えたことを特徴とする。
【発明の効果】
【０００８】
以上のように本発明によれば、樹脂製遊技盤の裏面側に設けた装着穴内に裏面側から合板片を装着すると共に、装着穴の開口表面側に配置された表面板に設けた突出用穴から合板片表面の遊技釘や盤面部品を突出させると共に、遊技釘等に沿って遊技球通路が形成されている場合には、突出用穴の内周縁が遊技球通路内に位置することとなり、遊技球の流下経路に不要な変動をもたらす虞があるが、本発明では突出用穴の内周縁の位置を遊技球と干渉しない位置に設定するようにしたので、そのような不具合を解決できる。
【発明を実施するための最良の形態】
【０００９】
以下、本発明を図面に示した実施の形態により詳細に説明する。
図１（ａ）は本発明の一実施形態に係る樹脂製遊技盤ユニットの要部構成を示す平面図、（ｂ）はＸ−Ｘ断面図である。
この樹脂製遊技盤ユニット１は、裏面側に少なくとも一つの装着穴３を備えた樹脂製遊技盤本体２と、装着穴３の表面側開口を塞ぐ薄板状の表面板４と、装着穴３内に裏面側から装着される木製の合板片（遊技釘植設部材）１０と、合板片１０の表面に植設された遊技釘２０と、遊技釘２０に沿って且つ合板片表面と樹脂製遊技盤本体表面に跨って形成された遊技球通路３０と、表面板４に貫通形成されて遊技釘を表面側へ突出させる突出用穴（突出用穴）５と、を備えている。合板片１０の表面は、表面板４に設けた遊技釘を突出させる穴としての突出用穴５を介して表面側へ露出している。
突出用穴５の内周縁５ａ内に位置する合板片１０の表面と、内周縁５ａの外側に位置する表面板４の表面とは段差を形成しており、この内周縁（段差部）５ａに遊技球Ｂが接触した場合にはその移動軌跡に無用な変動をもたらす虞がある。
【００１０】
本発明の特徴的な構成は、突出用穴の内周縁５ａと遊技釘２０との間隔を、遊技球通路３０を通過する遊技球Ｂに内周縁５ａが干渉しないように設定したことにある。更に具体的には、遊技球通路３０内に突出用穴５の内周縁５ａが位置している場合に、内周縁５ａと遊技釘２０の棒状部２０ｂとの間隔Ｌを、遊技球通路を通過する遊技球Ｂに内周縁が干渉しないように設定した点にある。換言すれば、突出用穴５の幅寸法Ｗを、遊技釘の大径頭部２０ａが挿通可能な程度に広くする一方で、突出用穴５から突出する遊技釘の棒状部２０ｂと遊技球が接触したときに遊技球が突出用穴５の内周縁５ａと干渉しない程度に狭く設定したことを特徴とする。
図１中の左側に示した遊技釘列では、遊技釘列の両側方に夫々遊技球通路３０が形成されるため、突出用穴５の幅Ｗは、遊技釘の大径頭部２０ａを挿通可能でありながら、遊技釘の棒状部２０ｂに遊技球が接触したときに突出用穴５の内周縁５ａに遊技球が接触しないように設定する。
【００１１】
具体的には、遊技釘２０の棒状部２０ｂの直径を２ｍｍとし、大径頭部２０ａの直径を４ｍｍとし、大径頭部２０ａが棒状部２０ｂから張出す長さを１ｍｍとし、遊技球Ｂの直径を１１ｍｍとした場合、突出用穴５の内周縁５ａと遊技釘の棒状部２０ｂとの距離Ｌを、１ｍｍ＜Ｌ＜５．５ｍｍの範囲に設定する。このように設定することにより、表面に遊技釘が植設された合板片１０を装着穴３の裏面側から装着して遊技釘を突出用穴５から表面側に突出させる際に、遊技釘の大径頭部をスムーズに突出させることが可能となる一方で、遊技釘の棒状部２０ｂと接触しつつ通過する遊技球の周面が段差を形成する突出用穴５の内周縁５ａと干渉して不必要な挙動を示すことがなくなる。
なお、合板片１０の表面に対して予め遊技釘２０を植設してから、この合板片を装着穴３内に装着してもよいし、合板片１０を装着穴３内に装着してから突出用穴５内に露出した合板片表面に遊技釘２０を植設してもよい。
【００１２】
次に、図２（ａ）及び（ｂ）は本発明の他の実施形態に係る樹脂製遊技盤ユニットの要部構成を示す平面図、及びＹ−Ｙ断面図である。
図２（ａ）の例では、所定の間隔を隔てて並行して形成された２つの突出用穴５Ａ、５Ｂ内から夫々遊技釘列２０Ｌが突出した状態を示している。この例では、各遊技釘２０Ｌを植設した合板片１０は２つの突出用穴５Ａ、５Ｂを包摂する一つの装着穴３内に装着されている。各突出用穴５Ａ、５Ｂ内に露出した合板片の表面には、各突出用穴５Ａ、５Ｂの内周縁５ａに沿って夫々一列に遊技釘２０が植設されている。また、各遊技釘列２０Ｌ間には遊技球通路３０が形成されている。遊技球Ｂの直径をＤ（約１１ｃｍ）とした場合、各突出用穴５Ａ、５Ｂの内周縁５ａと遊技釘（列）２０との間隔Ｌは、Ｄ／２（約５．５ｍｍ）未満となるように設定されている。
なお、ここで遊技釘２０と内周縁５ａとの間隔Ｌという場合における遊技釘２０とは、図２（ｂ）に示すように遊技釘の大径頭部２０ａを除いた棒状部２０ｂの外周面を意味し、間隔Ｌとは棒状部２０ｂの外周面と内周縁５ａとの間の距離を示す。
従って、間隔Ｌとは、遊技釘の棒状部２０ｂと遊技球Ｂとが接触する接触位置Ｃと、内周縁５ａとの間隔である。このように接触位置Ｃと内周縁５ａとの間隔Ｌを、遊技球Ｂの直径の１／２以下としたことにより、遊技球と遊技球通路３０との接触部は必ず内周縁５ａの外側となり、内周縁５ａに沿って形成される段差と干渉されることがなくなる。
【００１３】
また、遊技釘が合板片の表面と直交して立設されていない場合、即ち遊技球通路３０側に傾斜している場合（図２（ｃ））や、遊技球通路とは反対側に傾斜している場合（図２（ｄ））においては、遊技釘の棒状部と遊技球との接触位置Ｃから遊技球通路内に位置する内周縁５ａまでの距離が間隔Ｌであり、間隔Ｌを、遊技球Ｂの直径の１／２以下としたことにより、遊技球と遊技球通路３０との接触部は必ず内周縁５ａの外側となり、内周縁５ａに沿って形成される段差と干渉されることがなくなる。換言すれば、遊技釘が垂直に立設されている場合のみならず、図２（ｄ）のように遊技球通路とは反対側に傾斜している場合の傾斜角度を想定した上で、遊技釘２０の植設位置を内周縁５ａに近接させておく（間隔Ｌを遊技釘が垂直な場合よりも狭くしておく）ことが有効である。
このように突出用穴５から複数の遊技釘２０が一列に、且つ遊技釘が通過し得ない程度の狭い間隔で遊技釘列２０Ｌが形成されており、遊技釘列２０Ｌと内周縁５ａとの間の領域が遊技球通路３０の一部を構成している場合には、遊技釘列を構成する個々の遊技釘（接触位置Ｃ）と内周縁５ａとの間隔Ｌを、遊技球の直径の１／２未満とすることにより、遊技球通路３０を通過する遊技球Ｂと遊技球通路３０との接点は常に内周縁５ａを回避した位置となり、内周縁５ａに形成される段差が遊技球に干渉することがなくなる。
【００１４】
また、近接配置された２つの突出用穴５の各内周縁１０ａに沿って植設された遊技釘２０によって遊技球通路３０が形成されている場合には、遊技球通路３０の両側に位置する各内周縁５ａと遊技球とが干渉しないように内周縁５ａの位置を適切に設定する。
なお、上記各実施形態では、合板片１０上に複数の遊技釘２０を直線状に配列した場合について説明したが、図３（ａ）のように遊技釘２０を曲線を描くように配列した場合や、（ｂ）のように屈曲線を描くように配列した場合において、遊技釘列２０Ｌと隣接する領域に遊技球通路３０が存在する場合にも、内周縁５ａと遊技球との干渉を防止するための上記構成を適用することができる。
なお、上記の各実施形態では、合板片１０の面上に遊技釘が植設されている場合についてのみ説明したが、図４に示すように合板片１０の面上に盤面部品３５が突出して搭載されており、しかも盤面部品の側面側に遊技球通路３０が形成されている場合にも本発明を適用することができる。
【００１５】
即ち、本例では、盤面部品３５を突出用穴（突出用穴）５の内周縁５ａに沿って配置すると共に、盤面部品３５の側面（遊技球との接触位置）３５ａと内周縁５ａとの間隔Ｌを遊技球Ｂの直径Ｄの１／２未満とすることにより、盤面部品の側面３５ａに接触しながら通過する遊技球Ｂが突出用穴の内周縁５ａによる干渉を受けて移動軌跡に変動をきたすことが防止される。
遊技球通路３０が形成されない領域については、突出用穴の内周縁５ａと遊技釘、盤面部品との位置関係について規制する必要はない。
なお、本発明による遊技球との干渉防止のための構造は、各図に示した構成例のみならず、突出用穴５から突出した遊技釘や盤面部品に沿って遊技球通路が形成される場合一般に適用することができる。
【００１６】
以上のように、遊技釘２０、或いは盤面部品３５が内部に突出した突出用穴５の内周縁５ａの外側に遊技球通路３０が形成されている場合には、この内周縁５ａが遊技球通路内に位置することとなり、遊技球の流下経路に無用の変動をもたらす虞があるが、本発明では内周縁５ａの位置を遊技球と干渉しない位置に設定するようにしたので、そのような不具合を解決できる。
また、少なくとも２つの突出用穴５の内周縁５ａが近接して配置され、且つ両突出用穴の内周縁５ａが遊技球通路３０内に位置している場合にも、遊技球通路内を通過する遊技球と内周縁５ａとの干渉の問題が生じる。この場合にも内周縁と遊技釘又は前記盤面部品との間隔を、遊技球通路を通過する遊技球に内周縁が干渉しないように設定することが有効である。
特に、遊技球通路を通過する遊技球と突出用穴内周縁との干渉を防止するためには、内周縁の位置を遊技釘、又は盤面部品側面（遊技球との接触位置）と内周縁との間隔を遊技球の直径の１／２未満とすることが有効である。
更に、遊技釘が一列に植設されている場合には個々の遊技釘と内周縁との間隔が遊技球の直径の１／２未満となるように構成することが有効である。
また、本発明の樹脂製遊技盤ユニットは、パチンコ遊技機、その他の遊技球を利用する遊技機の遊技盤面に適用することができる。
【図面の簡単な説明】
【００１７】
【図１】（ａ）は本発明の一実施形態に係る樹脂製遊技盤ユニットの要部構成を示す平面図、（ｂ）はＸ−Ｘ断面図である。
【図２】（ａ）及び（ｂ）は本発明の他の実施形態に係る樹脂製遊技盤ユニットの要部構成を示す平面図、及びＹ−Ｙ断面図であり、（ｃ）及び（ｄ）は遊技釘が傾斜している場合の説明図である。
【図３】（ａ）及び（ｂ）は本発明の他の実施形態に係る樹脂製遊技盤ユニットの要部構成を示す平面図である。
【図４】本発明の他の実施形態に係る樹脂製遊技盤ユニットの要部構成を示す平面図である。
【図５】従来例の説明図である。
【符号の説明】
【００１８】
１…樹脂製遊技盤ユニット、２…樹脂製遊技盤本体、４…表面板、５…突出用穴、５Ａ、５Ｂ…突出用穴、５Ａ、５Ｂ…突出用穴、５ａ…内周縁、１０…合板片、２０…遊技釘、２０ａ…大径頭部、３…装着穴、３０…遊技球通路、３５…盤面部品、３５ａ…側面
【図１】
0004756059.tif 000002
【図２】
0004756059.tif 000003
【図３】
0004756059.tif 000004
【図４】
0004756059.tif 000005
【図５】
0004756059.tif 000006